(57)【要約】【課題】透過領域を有して背後の画像表示領域を透過する遊技盤の材料コスト削減及び軽量化を図り、さらには該遊技盤の特性を活かした興趣をもたらす遊技機を提供する。【解決手段】光透過性を有する透過領域を有する遊技盤１４ｂは、主面１４１ｂと裏面１４２ｂとの間に中空領域１４０ｂを有し、主面１４１ｂにおける遊技球が転動する遊技領域１５に複数の遊技釘１３が設けられている。遊技盤１４ｂの裏側に、中空領域１４０ｂを越えて遊技球が転動する裏遊技領域１５ｂを設けてもよい。保護板３１１は、液晶表示装置方面に遊技球が飛ばないよう、裏遊技領域１５ｂを確立させるために設けられている。中空領域１４０ｂは、遊技球を通せる幅にして遊技球の通路に使われてもよい。【選択図】図１７
2007215603.tif 000002
【特許請求の範囲】
【請求項１】
主面と裏面との間に中空領域を有し、前記主面における遊技球が転動する遊技領域に複数の遊技釘が設けられた、光透過性を有する透過領域を有する遊技盤と、
前記遊技盤の背後に設けられ、演出画像を表示する画像表示手段と、
前記遊技盤における前記中空領域に設けられた前記主面と前記裏面とを繋ぐ前記遊技釘の支持部材とを備えることを特徴とする遊技機。
【請求項２】
前記支持部材は、前記主面側又は前記裏面側に一体的な成形を伴って設けられていることを特徴とする請求項１に記載の遊技機。
【請求項３】
前記遊技盤は、前記主面側と前記裏面側との各成形部材の組み合わせにより構成され、前記各成形部材の一方は、平面板からなることを特徴とする請求項１又は２に記載の遊技機。
【請求項４】
前記遊技盤における前記主面と前記裏面との間の前記中空領域の離間距離は、前記遊技球の直径より大きいことを特徴とする請求項１乃至３いずれか一項に記載の遊技機。
【請求項５】
前記遊技盤の前記裏面と前記画像表示手段との間に設けられた光透過性を有する透過領域を有する保護板と、
前記支持部により支持され前記遊技盤の前記裏面側から突出する裏遊技釘と、
前記中空領域を介して視認可能な遊技球の入賞口部材と、
前記中空領域に設けられた遊技球の通路とを備えることを特徴とする請求項１乃至４いずれか一項に記載の遊技機。
【発明の詳細な説明】
【技術分野】
【０００１】
本発明は遊技機に関し、特に画像の表示手段を伴うパチンコ遊技機に関する。
【背景技術】
【０００２】
従来のパチンコ機では、発射ハンドルが操作されることにより遊技球が遊技盤上に打ち出され、遊技盤上に設けられた遊技釘に衝突し転動しながら落下する。遊技球が落下する途中で遊技盤に設けられた入賞口に入球すると、予め定められた数の遊技球が払い出される。また、遊技盤には入賞口の一種である始動口が設けられ、遊技球が始動口に入球すると、遊技者にとって有利な遊技状態へ移行するか否かの抽選が行われ、この抽選の結果に基づく可変表示ゲームが行われる。この可変表示ゲームは、遊技盤を見る遊技者が確認できるように表示手段が設けられ、複数の変動図柄を識別情報として表示するものである。
【０００３】
上記可変表示ゲームに伴い、表示手段では演出画像が表示される。このような演出画像は、可変表示ゲームを盛り上げる様々な演出、大当り状態をより強くアピールする演出などがあり、遊技者の興趣を左右する要素の一つになっている。つまり、遊技者は、遊技球が入賞口に入るか否かなど遊技球の行方が気になる一方、表示手段において演出されるパチンコ遊技機種固有の演出画像を観て楽しむのである。近年では劇画の主人公やそれに関係する人物、格闘系などの実在人物、オリジナルのキャラクタ等、様々な登場人物によりテーマに沿った臨場感あふれる演出がなされ遊技者を魅了している。このため、表示手段は重要度が増し、表示手段の画像表示領域は大きくなる傾向にある。
【０００４】
しかし、画像表示領域が大きくなるほど、遊技球が転動する遊技領域の面積が減少し、転動する遊技球の行方に興奮したり落胆したりするパチンコ遊技本来の醍醐味は損なわれるという懸念がある。
【０００５】
このため、上述の状況を解決するべく、透明基板からなる遊技盤の裏側に可変表示部（画像表示手段）が設けられる弾球遊技機を提供することが開示されている（例えば、特許文献１参照）。これにより、遊技球が転動、落下する経路を広く確保するとともに、より広い可変表示部の領域で演出画像を表示することができる。よって、遊技者は、遊技球の行方などパチンコ遊技自体の面白みを堪能しながら演出画像を観ることができるので、飽きや疲れを感じさせずに長時間にわたって遊技を楽しむことができる。
【特許文献１】特開２００４−１６００３０号公報
【発明の開示】
【発明が解決しようとする課題】
【０００６】
上記のような遊技盤は、背後にある表示手段による画像表示領域の重要性、遊技釘の植設の容易性の観点から、遊技領域全域をカバーする透明樹脂でなる大型の透明基板となっている。透明基板が大型化すると遊技盤の重量が増加し、遊技盤製造のための樹脂成形材料のコストが向上し得るという課題が生じていた。
【０００７】
本発明は、上記事情を考慮してなされたものであり、その目的は、透過領域を有して背後の画像表示領域を透過する遊技盤の材料コスト削減及び軽量化を図り、さらには、軽量化した際の遊技盤の特性を活かした興趣をもたらす遊技機を提供することにある。
【課題を解決するための手段】
【０００８】
（１）  主面と裏面との間に中空領域を有し、前記主面における遊技球が転動する遊技領域に複数の遊技釘が設けられた、光透過性を有する透過領域を有する遊技盤と、前記遊技盤の背後に設けられ、演出画像を表示する画像表示手段と、前記遊技盤における前記中空領域に設けられた前記主面と前記裏面とを繋ぐ前記遊技釘の支持部材とを備えることを特徴とする遊技機。
【０００９】
（１）の発明によれば、光透過性を有する透過領域を有する遊技盤（例えば、透明状のアクリル系樹脂などからなる遊技盤）が主面と裏面との間に中空領域を有することで、遊技盤内部が空間の分だけ、従来の遊技盤に比べて材料コストも少なく、かつ重量が抑えられ、ひいては遊技機のコスト軽減、軽量化に寄与する。また、軽量化しつつも、遊技釘の支持部材として、主面と裏面とを繋ぎ、中空領域及び透過領域を有する遊技盤（例えば、透明状のアクリル系樹脂などからなる遊技盤）の強度向上にも寄与する。支持部材は、中空領域の所々に遊技釘を囲む内壁部、例えば柱状部材を付加することも可能である。そして、この支持部材は、遊技盤における主面と裏面とを繋ぐものであり、主面と裏面との間の中空領域における離間距離を必然的に決める要素にもなり得る。よって、遊技盤の精度や強度を考える上で重要な部材である。また、画像表示手段（例えば、液晶表示装置など）の演出画像は、中空領域を介して遊技盤上の遊技領域に透過可能であるので、透明部材を充満させた従来の遊技盤と同等の視認性が得られる。これにより、遊技者においてはパチンコ遊技自体の面白みを堪能しつつ、演出画像を観ることが可能であるという効果を維持しつつ、演出画像を観ることが可能であるという従来どおりの効果を奏し得る。このため、透過領域を有して背後の画像表示領域を透過する遊技盤に関して材料コスト削減及び軽量化を図り、さらには、軽量化した際の遊技盤の特性を活かした興趣をもたらす遊技機を提供し得る。
【００１０】
（２）  （１）に記載の遊技機において、前記支持部材は、前記主面側又は前記裏面側に一体的な成形を伴って設けられていることを特徴とする遊技機。
【００１１】
（２）の発明によれば、（１）の発明に加えて、支持部材は、遊技盤の主面側又は裏面側に一体的な成形を経て構成されるため、形状や高さが一様で、主面側又は裏面側と同様の組成からなる光透過性を有する、透過領域を有する例えば柱状の部材（柱状部材）が実現可能である。そして、画像表示手段（例えば、液晶表示装置など）の演出画像は、中空領域を介して遊技盤上の遊技領域に透過可能であるので、透明部材を充満させた従来の遊技盤と同等の視認性が得られることにより、遊技者においてはパチンコ遊技自体の面白みを堪能しつつ、演出画像を観ることが可能であるという従来どおりの効果を奏し得る。このため、透過領域を有して背後の画像表示領域を透過する遊技盤に関して材料コスト削減及び軽量化を図り、さらには、軽量化した際の遊技盤の特性を活かした興趣をもたらす遊技機を提供し得る。
【００１２】
（３）  （１）又は（２）に記載の遊技機において、前記遊技盤は、前記主面側と前記裏面側との各成形部材の組み合わせにより構成され、前記各成形部材の一方は、平面板からなることを特徴とする遊技機。
【００１３】
（３）の発明によれば、（１）又は（２）の発明に加えて、遊技盤の主面、裏面のいずれか一方側は、平面板にするなど、なるべく単純な構造とする。単純な構造の平面板であれば、成形部材の構造が単純となるため、安価で加工が早く、組み立ての基準とすることができ、精度も出易い。よって、遊技盤は、主面側と裏面側についてそれぞれ別々に形成する際の低コスト化、及び組み立ての簡易化を図り得る。そして、画像表示手段（例えば、液晶表示装置など）の演出画像は、中空領域を介して遊技盤上の遊技領域に透過可能であるので、透明部材を充満させた従来の遊技盤と同等の視認性が得られることにより、遊技者においてはパチンコ遊技自体の面白みを堪能しつつ、演出画像を観ることが可能であるという従来どおりの効果を奏し得る。このため、透過領域を有して背後の画像表示領域を透過する遊技盤に関して材料コスト削減及び軽量化を図り、さらには、軽量化した際の遊技盤の特性を活かした興趣をもたらす遊技機を提供し得る。
【００１４】
（４）  （１）乃至（３）いずれかに記載の遊技機において、前記遊技盤における前記主面と前記裏面との間の前記中空領域の離間距離は、前記遊技球の直径より大きいことを特徴とする遊技機。
【００１５】
（４）の発明によれば、（１）乃至（３）いずれかの発明に加えて、遊技盤は、中空領域の離間距離を遊技球の直径より大きくしたことにより、中空領域内において遊技球を移動させることが可能となる。これにより、遊技盤は、遊技球の、遊技領域から中空領域への移動、中空領域から遊技領域への移動など、遊技者に新たな遊技形態を提供し得る。これにより、中空領域及び透過領域を有する遊技盤（例えば、透明状のアクリル系樹脂などからなる遊技盤）の特性を活かした裏側の遊技領域（裏遊技領域）を提供可能である。そして、これに加えて、画像表示手段（例えば、液晶表示装置など）の演出画像は、中空領域を介しても遊技盤上の遊技領域に透過可能であるので、透明部材を充満させた従来の遊技盤と同等の視認性が得られることにより、遊技者においてはパチンコ遊技自体の面白みを堪能しつつ、演出画像を観ることが可能である。このため、透過領域を有して背後の画像表示領域を透過する遊技盤に関して材料コスト削減及び軽量化を図り、さらには、軽量化した際の遊技盤の特性を活かした興趣をもたらす遊技機を提供し得る。
【００１６】
（５）  （１）乃至（４）いずれかに記載の遊技機において、前記遊技盤の前記裏面と前記画像表示手段との間に設けられた光透過性を有する透過領域を有する保護板と、前記支持部材により支持され前記遊技盤の前記裏面側から突出する裏遊技釘と、前記中空領域を介して視認可能な遊技球の入賞口部材と、前記中空領域に設けられた遊技球の通路とを備えることを特徴とする遊技機。
【００１７】
（５）の発明によれば、（１）乃至（４）いずれかの発明に加えて、保護板、裏遊技釘、入賞口部材、中空領域における遊技球の通路を備えることにより、遊技盤の裏面においても遊技可能となり、遊技者に新たな遊技形態を提供し得る。中空領域は、遊技盤の主面側と裏面側との間の遊技球の移動や、裏面側の入賞口に遊技球が入賞した際の遊技球の移動に利用するため、各種の通路を設けることが可能である。これにより、中空領域及び透過領域を有する遊技盤（例えば、透明状のアクリル系樹脂などからなる遊技盤）の特性を活かした裏側の遊技領域（裏遊技領域）を提供可能である。そして、これに加えて、画像表示手段（例えば、液晶表示装置など）の演出画像は、保護板−裏面−中空領域−主面を介して遊技盤上の遊技領域に透過可能であるので、透明部材を充満させた従来の遊技盤と同等の視認性が得られることにより、遊技者においてはパチンコ遊技自体の面白みを堪能しつつ、演出画像を観ることが可能である。このため、透過領域を有して背後の画像表示領域を透過する遊技盤に関して材料コスト削減及び軽量化を図り、さらには、軽量化した際の遊技盤の特性を活かした興趣をもたらす遊技機を提供し得る。
【発明の効果】
【００１８】
本発明によれば、光透過性を有する透過領域を含む遊技盤が中空領域を有することにより、透過領域を有して背後の画像表示領域を透過する遊技盤に関して材料コストの削減及び軽量化を図り、さらには該遊技盤の特性を活かした興趣をもたらす遊技機を提供することが可能である。
【発明を実施するための最良の形態】
【００１９】
以下に、本発明に好適な実施形態について、本発明をパチンコ遊技機（「デジパチ」とも称される）に適用した場合について図面を用いて説明する。
【００２０】
［遊技機の構成］
図１及び図２は、それぞれ本発明の一実施形態のパチンコ遊技機における概観を示す斜視図及び分解斜視図である。又、図３は、図２中の一部に構成される電飾ユニットを示す正面図である。さらに、図４は、本発明の一実施形態のパチンコ遊技機における概観を示す正面図である。
【００２１】
図１及び図２に示すように、パチンコ遊技機１０は、前面に開口１２ａが形成された本体枠１２と、その本体枠１２における開口１２ａの内部に配設される各種の部品と、本体枠１２の前方に開閉自在に軸着された扉１１とから構成されている。この扉１１は、図１に示すように、開口１２ａを前面から閉鎖するために設けられている。扉１１には、光を透過する透過性を有する保護板１９が配設されている。これにより、通常、扉１１は遊技盤１４の前面（主面）に対面閉鎖した状態で遊技が行われる。又、本体枠１２の前面には、左右のスピーカ４６Ｌ、４６Ｒ、上皿２０、下皿２２、発射ハンドル２６等が配設されている。
【００２２】
本体枠１２の開口１２ａ内部には、後述するように、画像を表示するための液晶表示装置３２と、スペーサー３１、遊技盤１４等が配設されている。なお、遊技盤１４、スペーサー３１、液晶表示装置３２以外の各種の部品（図示せず）については、理解を容易にするために説明を省略する。
【００２３】
遊技盤１４は、その全部が光を透過する光透過性を有する板形状の樹脂（透過性を有する部材）によって形成されている。この透過性を有する部材としては、例えば、アクリル樹脂、ポリカーボネート樹脂、メタクリル樹脂など各種の材質が該当する。本実施形態における遊技盤１４は、後に詳述するが、内部が空間となっている中空領域１４０を有している。これにより、当該遊技盤１４は、中空領域１４０を挟むように主面１４１と裏面１４２を有している。中空領域１４０を有する分、主面１４１と裏面１４２それぞれの遊技盤部材の厚みは小さくなる。よって、遊技盤１４は、強度的にはアクリル系樹脂よりは、ポリカーボネート樹脂でなる方が好ましい。しかし、アクリル系樹脂は加工性に優れ、安価である上、透明度に優れているので、コスト的にはアクリル系樹脂を利用する方が有利である。
【００２４】
遊技盤１４は、扉１１（保護板１９）と対向する主面１４１側において、複数の遊技釘１３が植設され、発射された遊技球が転動可能な遊技領域１５を有している。このように、遊技盤１４は、主面と裏面との間に中空領域を有し、該主面における遊技球が転動する遊技領域に複数の遊技釘が設けられた、光透過性を有する透過領域を有する遊技盤の一例である。
【００２５】
又、遊技盤１４には、遊技球が入球する入賞口が複数設けられている（後述する入賞口２４、一般入賞口５６ａ〜５６ｄ、始動口２５又は４４など）。又、遊技盤１４上方においてガイドレール３０（具体的には後述の図４の外レール３０ａ）の右上部端付近に、ラウンド数表示器５１が設けられている。さらに、遊技盤１４の下方における、ガイドレール３０（具体的には後述の図４の内レール３０ｂ）で制限される遊技球の最下位置付近にアウト口５９が設けられている。アウト口５９は、上記入賞口に入らずに最下位置付近に流下してきた遊技球をアウト球として当該遊技機外部に排出する。
【００２６】
液晶表示装置３２は、スペーサー３１を挟んで、遊技盤１４の後方に配設されている。すなわち、液晶表示装置３２は、遊技盤１４の裏面１４２の後方に、所定距離をおいて配置されている。この液晶表示装置３２は、遊技に関する画像の表示を可能とする表示領域３２ａを有している。この表示領域３２ａは、遊技盤１４の全部又は一部に、スペーサー３１を挟んで、背面側から重なるように配設される。言い換えると、この表示領域３２ａは、少なくとも、遊技盤１４における遊技領域１５の全部又は一部と重なるように遊技盤１４の後方に配設される。具体的には、液晶表示装置３２は、その表示領域３２ａが遊技領域１５の全部又は一部と、遊技領域外域１６の全部又は一部とに重なるように遊技盤１４の後方に配設される。この液晶表示装置３２における表示領域３２ａには、演出用の演出画像、装飾用の装飾画像等、各種の画像が表示される。このように、液晶表示装置３２の表示領域３２ａは、遊技盤１４の背後に設けられ、演出画像を表示する画像表示手段の一例である。
【００２７】
又、本実施形態において、透過性を有する遊技盤１４の後方に液晶表示装置３２などの表示手段を設けることにより、例えば、遊技釘の植設領域や役物、装飾部材といった遊技部材を設ける領域を大きくし、レイアウトの自由度も更に大きくすることが可能である。又、遊技盤１４が中空領域１４０を有することで、遊技盤内部が空間の分だけ、従来の遊技盤に比べて重量が抑えられる。このため、当該抑えられた重量分と、上記役物、装飾部材など遊技部材の一部の重量付加分とが相殺され得る。
【００２８】
スペーサー３１は、遊技盤１４の後方（背面側）に配設されるとともに、液晶表示装置３２の前方（前面側）に配設される。つまり、スペーサー３１は、遊技盤１４と液晶表示装置３２によって挟持される。このスペーサー３１は、光を透過する透過性を有した材料で形成されており、中央に大きな貫通穴３１ａが設けられている。電飾ユニット５３は、貫通穴３１ａの上方にあって、遊技盤１４の後方（背面側）と液晶表示装置３２の前方（前面側）の間に配設される。すなわち、電飾ユニット５３は、中空領域１４０を有する遊技盤１４を介して遊技領域１５において視認可能となっている。
【００２９】
なお、図２では、理解を容易にするため、遊技盤１４の背面部に設けられる第１ワープ経路４７を記載している。第１ワープ経路４７は、光を透過する透過性を有する材質で形成されており、入賞口２４（図４参照）に入賞した遊技球を、後述する第２ワープ経路４９（図４参照）に経由するために設けられている。
【００３０】
又、発射ハンドル２６は本体枠１２に対して回動自在に設けられている。又、発射ハンドル２６の裏側には、駆動装置である発射ソレノイド（図示せず）が設けられている。さらに、発射ハンドル２６の周縁部には、タッチセンサ（図示せず）が設けられている。このタッチセンサが遊技者により触接されたときには、遊技者により発射ハンドル２６が握持されたと検知される。発射ハンドル２６が遊技者によって握持され、かつ、時計回り方向へ回動操作されたときには、その回動角度に応じて発射ソレノイドに電力が供給され、上皿２０に貯留された遊技球が遊技盤１４に順次発射され、遊技領域１５における遊技が進められる。
【００３１】
次に、図３の電飾ユニット５３の拡大図を参照しながら、特別図柄表示器３３、普通図柄表示器３５、特別図柄保留ランプ３４ａ〜３４ｄおよび普通図柄保留ランプ５０ａ〜５０ｄを説明する。図示のように、電飾ユニット５３は、特別図柄表示器３３および普通図柄表示器３５を収納する表示器ケース３７、特別図柄保留ランプ３４ａ、３４ｂ、３４ｃ、３４ｄならびに普通図柄保留ランプ５０ａ、５０ｂ、５０ｃ、５０ｄで構成される。表示器ケース３７の前面側は、視認向上を目的として、透明レンズ（図示せず）で覆われている。
【００３２】
表示器ケース３７に収容される特別図柄表示器３３は、複数の７セグメントＬＥＤ４１で構成されている。この７セグメントＬＥＤ４１は、所定の特別図柄の変動表示開始条件の成立により、点灯・消灯を繰り返す。７セグメントＬＥＤ４１の点灯・消灯によって、“０”から“９”までの１０個の数字図柄が、特別図柄（識別情報ともいう）として変動表示される。この特別図柄として、特定の数字図柄（例えば、“３”又は“７”の数字図柄）が停止表示された場合は、通常遊技状態から遊技者にとって有利な遊技を実行する大当り遊技状態（特別遊技状態）に遊技状態が移行する。この大当り遊技状態となった場合には、後述するように、シャッタ４０（図４参照）が開放状態に制御され、大入賞口３９（図４参照）に遊技球が受け入れ可能な状態となる。一方、特別図柄として、特定の数字図柄以外の数字図柄（例えば、“３”又は“７”以外の数字図柄）が停止表示された場合は、通常遊技状態が維持される。以上のように、特別図柄が変動表示された後、停止表示され、その結果によって遊技状態が移行、又は維持されるゲームを「特別図柄ゲーム」という。
【００３３】
特別図柄表示器３３の右側には、普通図柄表示器３５が設けられている。普通図柄表示器３５は、２つの表示用ランプ（図示せず）で構成されており、これら表示用ランプが交互に点灯・消灯を繰り返すことによって、例えば“○”、“×”等の記号が普通図柄として変動表示される。
【００３４】
表示器ケース３７の左右の両側には、特別図柄保留ランプ３４ａ〜３４ｄが設けられている。この特別図柄保留ランプ３４ａ〜３４ｄは、点灯又は消灯によって保留されている特別図柄の変動表示の実行回数（所謂、「保留球数」、「特別図柄に関する保留球数」）を表示する。例えば、特別図柄の変動表示の実行が１回分保留されている場合には、特別図柄保留ランプ３４ａが点灯し、特別図柄の変動表示の実行が２回分保留されている場合には、特別図柄保留ランプ３４ａの他に特別図柄保留ランプ３４ｂが点灯し、特別図柄の変動表示の実行が３回分保留されている場合には、特別図柄保留ランプ３４ａ、３４ｂの他に特別図柄保留ランプ３４ｃが点灯し、特別図柄の変動表示の実行が４回分保留されている場合には、特別図柄保留ランプ３４ａ、３４ｂ、３４ｃの他に特別図柄保留ランプ３４ｄが点灯する。
【００３５】
表示器ケース３７の下側には、普通図柄保留ランプ５０ａ〜５０ｄが設けられている。この普通図柄保留ランプ５０ａ〜５０ｄは、後述するように、点灯又は消灯によって保留されている普通図柄の変動表示の実行回数（所謂、「保留球数」、「普通図柄に関する保留球数」）を表示する。特別図柄と同様に、普通図柄の変動表示の実行が１回分保留されている場合には、普通図柄保留ランプ５０ａが点灯する。
【００３６】
又、遊技盤１４の後方（背面側）に配設されている液晶表示装置３２の表示領域３２ａでは、上記の特別図柄表示器３３において表示される特別図柄と関連する演出画像が表示される。
【００３７】
例えば、特別図柄表示器３３で表示される特別図柄の変動表示中においては、液晶表示装置３２の表示領域３２ａにおいて、複数の図柄列（本実施形態においては３列）毎に数字や記号等からなる図柄（演出用の識別情報でもある。例えば、“０”から“９”までの数字）が変動表示される。又、特別図柄表示器３３において変動表示されていた特別図柄が停止表示されるとともに、液晶表示装置３２の表示領域３２ａでも演出用の識別情報が停止表示される。
【００３８】
又、特別図柄表示器３３において特別図柄として特定の数字図柄が停止表示された場合には、大当りであることを遊技者に把握させる演出画像が液晶表示装置３２の表示領域３２ａにおいて表示される。具体的には、特別図柄表示器３３において特別図柄として特定の数字図柄が停止表示された場合には、液晶表示装置３２の表示領域３２ａにおいて表示される演出用の識別情報の組合せが特定の表示態様（例えば、複数の図柄列のそれぞれに“１”から“９”のいずれかが全て揃った状態で停止表示される態様）となる。
【００３９】
このように、大当り遊技状態に移行するか否かを決定する演出過程が、液晶表示装置３２の表示領域３２ａにおいて表示される。このようなゲームを「可変表示ゲーム」という。例えば、液晶表示装置３２の表示領域３２ａにおいて表示される演出用の識別情報の組合せが一箇所だけ変動表示態様になっており、この変動表示が停止表示となった際には上記特定の表示態様の組み合わせが成立し得る（つまり大当りになり得る）、という場合をリーチ、リーチ表示、リーチ状態、リーチ画像、などと称する。リーチは、遊技者にとって有利な遊技状態へ移行するか否か、大当りに近づく期待感を抱かせる演出の一つとして利用されている。又、例えば、液晶表示装置３２の表示領域３２ａにおいて表示される演出用の識別情報の組合せが上記特定の表示態様となった場合には、さらに大当たりを認識させる文字画像やキャラクタ画像などが液晶表示装置３２の表示領域３２ａにおいて表示される。又、液晶表示装置３２の表示領域３２ａでは、上記の特別図柄表示器３３における表示に伴う演出用の複数の識別情報図柄の表示や、これに関連する大当り演出、大当りに近づく期待感を抱かせる演出などの演出画像の表示もなされる。
【００４０】
さらに、図４を用いて、パチンコ遊技機１０の概観を詳細に説明する。図４は、本実施形態におけるパチンコ遊技機１０の概観を示す正面図である。なお、図４を用いたパチンコ遊技機１０の概観の説明では、図１及び図２を用いたパチンコ遊技機１０の概観の説明と重複する部分を省略する。又、図４においては、遊技盤１４主面に打ち込まれている複数の遊技釘１３の記載を省略している。
【００４１】
図４に示すように、中空領域１４０を有する遊技盤１４上に、２つのガイドレール３０（３０ａ及び３０ｂ）、障害物５７、通過ゲート５４ａ、５４ｂ、第２ワープ経路４９、所定領域を形成する始動口２５及び４４、シャッタ４０、大入賞口３９、ラウンド数表示器５１、一般入賞口５６ａ、５６ｂ、５６ｃ、５６ｄ等の遊技部材が設けられている。なお、遊技盤１４の上部では、特別図柄表示器３３、普通図柄表示器３５等の電飾ユニット５３などが視認可能となっている。
【００４２】
遊技盤１４の左側に設けられている２つのガイドレール３０は、遊技領域１５を区画（画定）する外レール３０ａと、その外レール３０ａの内側に配設された内レール３０ｂとから構成される。発射された遊技球は、遊技盤１４上に設けられたガイドレール３０に案内されて、遊技盤１４の上部に移動し、電飾ユニット５３上を通過して、前述した複数の遊技釘１３（図２参照）、遊技盤１４上に設けられた障害物５７等との衝突により、その進行方向を変えながら遊技盤１４の下方に向かって流下する。
【００４３】
又、障害物の左端部には、入賞口２４が形成されている。この入賞口２４に遊技球が入賞すると、遊技盤１４の背後において、第１ワープ経路４７を経由し、さらに、レール状の第２ワープ経路４９に沿って移動し、障害物５７の背後に導かれる。障害物５７の背後に導かれた遊技球は、障害物５７に囲まれた排出口（図示せず）から遊技盤１４の表側に排出され、当該遊技盤１４へと流下する。
【００４４】
前述した始動口２５又は４４に遊技球が入賞した場合、これは所定の特別図柄の変動表示が開始される態様の一つであって、特別図柄表示器３３による特別図柄の変動表示が開始される。又、特別図柄の変動表示中に遊技球が始動口２５又は４４へ入賞した場合には、変動表示中の特別図柄が停止表示されるまで、始動口２５又は４４への遊技球の入賞に基づく特別図柄の変動表示の実行（開始）が保留される。その後、変動表示していた特別図柄が停止表示された場合には、保留されていた特別図柄の変動表示が開始される。なお、特別図柄の変動表示の実行が保留される回数、つまり、保留球数には上限が設定されており、例えば、４回（個）を上限として特別図柄の変動表示が保留される。
【００４５】
又、その他の（所定の特別図柄の変動表示開始）条件としては、特別図柄が停止表示されていることである。つまり、所定の特別図柄の変動表示開始条件が成立する毎に特別図柄の変動表示が開始される。
【００４６】
又、液晶表示装置３２の表示領域３２ａにおける可変表示ゲームにおいても、前述したように、所定の演出用の識別情報の変動表示開始の条件の一つである始動口２５又は４４に遊技球が入賞した場合、演出用の識別情報の変動表示が開始される。又、特別図柄に関する変動表示中に遊技球が始動口２５又は４４へ入賞した場合には、変動表示中の演出用の識別情報が停止表示されるまで、始動口２５又は４４への遊技球の入賞に基づく演出用の識別情報の変動表示の実行（開始）が保留される。その後、変動表示していた演出用の識別情報が停止表示された場合には、保留されていた演出用の識別情報の変動表示が開始される。
【００４７】
又、その他の（所定の演出用の識別情報の変動表示開始）条件としては、演出用の識別情報が停止表示されていることである。つまり、所定の演出用の識別情報の変動表示開始条件が成立する毎に演出用の識別情報の変動表示が開始される。
【００４８】
なお、本実施形態においては、始動口２５又は４４に遊技球が入賞したこと等を、所定の特別図柄の変動表示開始条件又は所定の演出用の識別情報の変動表示開始条件としたが、これに限らず、別の態様であってもよい。
【００４９】
遊技盤１４の略中央の左右両側には通過ゲート５４ａ、５４ｂが設けられている。この通過ゲート５４ａ、５４ｂには、通過球センサ（図示せず）が設けられ、遊技球が通過ゲート５４ａ、５４ｂを通過したことを検出する。そして、遊技球の通過が検出されたときには、普通図柄表示器３５において普通図柄の変動表示が開始され、所定の時間が経過した後、普通図柄の変動表示が停止する。前述したように、この普通図柄は、“○”、“×”等の記号である。
【００５０】
この普通図柄が所定の図柄、例えば“○”として停止表示されたときには、始動口２５の左右の両側に設けられている羽根部材（所謂、普通電動役物）２３が閉鎖状態から開放状態となり、始動口２５に遊技球が入りやすくなる。又、羽根部材２３を開放状態とした後、所定の時間が経過したときには、羽根部材２３を閉鎖状態として、始動口２５に遊技球が入りにくくなるようにする。以上のように、普通図柄が変動表示された後、停止表示され、その結果によって羽根部材２３の開放・閉鎖状態が異なってくるゲームを「普通図柄ゲーム」という。
【００５１】
又、特別図柄の変動表示と同じように、普通図柄の変動表示中において通過ゲート５４ａ、５４ｂを遊技球が通過した場合には、変動表示中の普通図柄が停止表示されるまで、当該通過ゲート５４ａ、５４ｂへの遊技球の通過に基づく普通図柄の変動表示の実行（開始）が保留される。その後、変動表示していた普通図柄が停止表示された場合には、保留されていた普通図柄の変動表示が開始される。
【００５２】
大入賞口３９には、その前面側（前方）に開閉自在なシャッタ４０が設けられている。このシャッタ４０は、特別図柄表示器３３において特別図柄として特定の数字図柄が停止表示され、遊技状態が大当り遊技状態に移行された場合は、遊技球を受け入れやすい開放状態となるように駆動される。その結果、大入賞口３９は、遊技球を受け入れやすい開放状態（第１の状態）となる。
【００５３】
一方、シャッタ４０の背面側（後方）に設けられた大入賞口３９には、Ｖ・カウントセンサと呼ばれるカウントセンサを有する特定領域（図示せず）と、カウントセンサを有する一般領域（図示せず）とがあり、それらの領域を遊技球が所定個数（例えば１０個）通過するか、又は、所定時間（例えば３０秒）が経過するまでシャッタ４０が開放状態に駆動される。そして、開放状態において大入賞口３９への所定数の遊技球の入賞又は所定時間の経過のいずれかの条件が成立すると、シャッタ４０は、遊技球を受け入れ難い閉鎖状態になるように駆動される。その結果、大入賞口３９は、遊技球を受け入れ難い閉鎖状態となる（第２の状態）。なお、大入賞口３９が遊技球を受け入れやすい状態となっている開放状態（第１の状態）から大入賞口３９が遊技球を受け入れ難い状態となっている閉鎖状態（第２の状態）までの遊技をラウンドゲームという。したがって、シャッタ４０は、ラウンドゲーム時に開放し、各ラウンドゲーム間では閉鎖することになる。又、ラウンドゲームは、“１”ラウンド、“２”ラウンド等のラウンド数として計数される。例えば、ラウンドゲームの１回目を第１ラウンド、２回目を第２ラウンドと呼称する場合がある。
【００５４】
続いて、開放状態から閉鎖状態（第２の状態）に駆動されたシャッタ４０は、開放状態において大入賞口３９に受け入れられた遊技球がＶ・カウントセンサを通過したことを条件に、再度開放状態に駆動される。つまり、シャッタ４０の開放状態において大入賞口３９に受け入れられた遊技球がＶ・カウントセンサを通過したことを条件に、次のラウンドゲームへ継続して進むことができる。なお、第１ラウンドのラウンドゲームから、次のラウンドゲームに継続して進むことができない（最終の）ラウンドゲームが終了するまでの遊技を特別遊技といい、この遊技状態を特別遊技状態という。すなわち、特別遊技状態は遊技者にとって有利な遊技状態である。
【００５５】
特別遊技の実行中において、最初のラウンド数から最もラウンドゲームが継続された場合の最後のラウンドゲームまでのラウンド数（最大継続ラウンド数）は、停止表示された特別図柄によって異なる。例えば、本実施形態において、特別図柄表示器３３に停止表示される数字図柄が３の場合は、最大継続ラウンド数は２ラウンドであり、特別図柄表示器３３に停止表示される数字図柄が７の場合は、最大継続ラウンド数は１５ラウンドとなる。なお、最大継続ラウンド数は２ラウンド又は１５ラウンドに限定されない。例えば、最大継続ラウンド数は、遊技機のメインＣＰＵを含む主制御回路による抽選により、“１”ラウンドから“１５”ラウンドまでの間から選択されるようにしてもよい。
【００５６】
又、前述した始動口２５又は４４、一般入賞口５６ａ〜５６ｄ、大入賞口３９における特定領域及び一般領域に遊技球が入賞又は通過したときには、それぞれの入賞口の種類に応じて予め設定されている数の遊技球が上皿２０（図１参照）又は下皿２２に払い出される。
【００５７】
一方、遊技盤１４上の遊技領域外域１６には、ラウンド数表示器５１が設けられている。ラウンド数表示器５１は、少なくとも１つの７セグメントＬＥＤで構成されており、少なくとも１桁の数字図柄（本実施形態の場合、２桁の数字）の表示が可能である。本実施形態では、ラウンド数表示器５１は、現在実行されているラウンドゲームが第何ラウンドであるかを示す「ラウンド数」を表示する。このように、ラウンド数表示器５１は、特別遊技の実行中において、演出画像を表示する液晶表示装置３２の前方に別に設けられているため、ラウンド数を的確に分かりやすく表示することが可能である。
【００５８】
［中空領域を有する遊技盤の説明］
図５乃至図２０を参照して、本実施形態のパチンコ遊技機における中空領域１４０を有する遊技盤１４の構成例について説明する。
【００５９】
図５は、中空領域を有する遊技盤の要部を示す断面外観図である。光透過性を有する透過領域を有する遊技盤１４は、全域で、中空領域１４０を挟むように主面１４１と裏面１４２を有する。遊技盤１４に植設された遊技釘１３は、主面１４１側から突出し、遊技領域１５にて遊技球を転動させる。遊技盤１４の裏面１４２の後方には、演出画像を表示する液晶表示装置３２の表示領域３２ａが設けられている。このように、液晶表示装置３２の表示領域３２ａは、遊技盤１４の背後に設けられ、演出画像を表示する画像表示手段の一例である。
【００６０】
遊技盤１４の主面１４１と裏面１４２の間には遊技釘１３の一部が主面１４１側から裏面１４２側に向かうように埋め込まれるための、当該遊技釘１３を支持する柱状部材１４５を備えている。柱状部材１４５は、遊技盤１４の主面１４１と裏面１４２を繋ぎ、好ましくは遊技釘１３を囲み、固定するための円筒形状の内壁となっている。さらに好ましくは、この円筒形状の内壁厚が遊技釘１３の径よりも大きく、遊技盤１４の主面１４１または裏面１４２の厚みよりも小さい厚みで、遊技釘１３はもとより当該主面１４１と裏面１４２を支持している。柱状部材１４５が円筒形状であれば、強度的にも強く、外観的に反射も少なく抑えることができる。なお、柱状部材１４５は、遊技釘１３が植設される以前では単なる円柱の形態、もしくは遊技釘１３より小さな径の穴が開いている形態であってもよい。このように、柱状部材１４５は、遊技盤における中空領域に設けられた主面と裏面とを繋ぐ遊技釘の支持部材の一例である。柱状部材１４５は、遊技盤１４における主面と裏面とを繋ぐものであり、主面１４１と裏面１４２との間の中空領域１４０における離間距離を必然的に決める要素にもなり得る。従って、遊技盤１４の精度や強度を考える上で重要な部材である。
【００６１】
上記実施形態によれば、光透過性を有する透過領域を有する遊技盤１４（例えば、透明状のアクリル系樹脂などからなる遊技盤）が中空領域１４０を有することで、遊技盤１４内部が空間の分だけ、従来の遊技盤に比べて材料コストも少なく、かつ重量が抑えられ、ひいては遊技機のコスト軽減、軽量化に寄与する。又、液晶表示装置３２の表示領域３２ａなど、演出表示手段の演出画像は、中空領域１４０を介して遊技盤上の遊技領域に透過可能であるので、透明部材を充満させた従来の遊技盤と同等の視認性が得られる。これにより、遊技者においてはパチンコ遊技自体の面白みを堪能し、かつ、演出画像を観ることが可能であるという効果を維持しつつ、透過領域を有して背後の画像表示領域を透過する遊技盤に関する材料コストの削減及び軽量化を図り、もってコスト軽減かつ軽量化が可能な遊技機を提供することができる。又、中空領域１４０の領域内に遊技釘１３を支持する柱状部材１４５を備えることにより、上記に奏される効果に加えて、遊技釘１３の支持力が強化される。すなわち、中空領域１４０の所々に遊技釘１３を囲む内壁部を付加することが可能であり、中空領域１４０及び透過領域を有する遊技盤１４の強度向上にも寄与する。又、透明部材を充満させた従来の遊技盤は、大型化に伴い、遊技盤が歪むなどの、そりが顕著になる傾向があったが、本実施形態によれば、遊技盤１４の軽量化と、複数の柱状部材１４５により遊技盤の表裏を支持する構造とによって、遊技盤が大型化しても、そりの抑制が期待できる。
【００６２】
上記のような、主面１４１と裏面１４２の間に中空領域１４０を有する遊技盤１４は、例えば、中空射出成形法を用いて一体的に形成し得る。中空射出成形法は、ガスアシスト成形法、ガスインジェクション成形法などと呼ばれ、設備的には一般の射出成形機の他に高圧ガス発生装置とガス注入装置を備え、金型にもガス注入部を設ける。例えば透明となる溶融樹脂を金型キャビティ内に射出し、この中に樹脂と互いに混ざり合わない加圧流体、例えば不活性ガス（例えば、窒素ガス等）を注入し、その内圧により溶融樹脂をキャビティの壁に押し付けたままで保圧と冷却工程を経て、製品を得る。又、柱状部材１４５を成形内に組み込むために、例えば、高中空射出成形法（Ｈｉｇｈｅｒ  Ｈｏｌｌｏｗ  Ｍｏｌｄｉｎｇ法）などが利用され得る。樹脂中に不活性ガス（例えば、窒素ガス等）を注入しながら雌雄の金型がより接近している所定箇所（柱状部材１４５の形成予定領域）に柱状に樹脂を形成しつつ、金型の雌雄一方の側を移動させ、金型のキャビティ容積を拡大して高中空成形品を得る。これらの中空成形法はひけ、そりが抑えられ、軽量でしかも剛性のある大型成形品が低圧形成によって得られる特長がある。
【００６３】
図６（ａ）、（ｂ）は、それぞれ、図５とは別の形態の、中空領域を有する遊技盤について要部を示す断面図である。光透過性を有する透過領域を有する遊技盤１４は、全域で、別々に形成した主面１４１と裏面１４２を、中空領域１４０を挟んで固着する。図６（ａ）では、裏面１４２側に設けられた遊技釘１３を囲む柱状部材１４５を主面１４１側に設けられた貫通穴Ｈ１に嵌め込んで固着し、遊技釘（一点鎖線）１３を柱状部材１４５に植設するものである。他方、図６（ｂ）では、主面１４１側に設けられた遊技釘１３の柱状部材１４５を裏面１４２側に設けられた貫通穴Ｈ２に嵌め込んで固着し、遊技釘（一点鎖線）１３を柱状部材１４５に植設するものである。このような構成においては、中空領域１４０を挟んで主面１４１と裏面１４２を固着する遊技盤１４の組み立て、位置決めの精度は、貫通穴Ｈ１またはＨ２が精度よく開けられることによって高めることができる。
【００６４】
上記図６（ａ）、（ｂ）の両者は、図５の実施形態と同様に、柱状部材１４５は、遊技盤１４の主面１４１と裏面１４２を繋ぐ遊技釘１３の支持部材であり、より好ましくは遊技釘１３を囲み、固定するための円筒形状の内壁となっている。さらに好ましくは、この円筒形状の内壁厚Ｔ３が遊技釘１３の径よりも大きく、遊技盤１４の主面１４１の厚みＴ１または裏面１４２の厚みＴ２よりも小さい厚みで、遊技釘１３はもとより当該主面１４１と裏面１４２を支持している。なお、両者において、柱状部材１４５は、遊技釘１３が植設される以前では、単なる円柱の形態、もしくは遊技釘１３より小さな径の穴、例えば、貫通した釘穴Ｈ３、Ｈ４に準ずる穴が開いている形態であってもよい。
【００６５】
図７（ａ）、（ｂ）は、それぞれ図６（ａ）、（ｂ）の変形例について要部を示す断面図である。本実施形態において、図６（ａ）、（ｂ）と異なる部分は、それぞれの柱状部材１４５の形態である。植設される遊技釘１３の底部が柱状部材１４５の部材、すなわち、主面１４１や裏面１４２の部材で塞がっている。その他の構成は図６（ａ）、（ｂ）と同様である。このような構成においては、中空領域１４０を挟んで主面１４１と裏面１４２を固着する遊技盤１４の組み立て、位置決めの精度は、貫通穴Ｈ１またはＨ２が精度よく開けられることによって高めることができ、又、底部の有る釘穴Ｈ５、Ｈ６が設けられていることによって、遊技釘の植設の深さ決め、支持剛性が高められ得る。
【００６６】
図７（ａ）、（ｂ）両者は、図６（ａ）、（ｂ）の実施形態と同様に、柱状部材１４５は、遊技盤１４の主面１４１と裏面１４２を繋ぐ遊技釘１３の支持部材であり、より好ましくは遊技釘１３を囲み、固定するための円筒形状の内壁となっている。さらに好ましくは、この円筒形状の内壁厚Ｔ３が遊技釘１３の径よりも大きく、遊技盤１４の主面１４１の厚みＴ１または裏面１４２の厚みＴ２よりも小さい厚みで、遊技釘１３はもとより当該主面１４１と裏面１４２を支持している。なお、両者において、柱状部材１４５は、遊技釘１３が植設される以前では、単なる円柱の形態、もしくは遊技釘１３より小さな径の穴、例えば、底部の有る釘穴Ｈ５、Ｈ６に準ずる穴が開いている形態であってもよい。
【００６７】
図８（ａ）、（ｂ）は、それぞれ、図５とは別の形態の、中空領域を有する遊技盤について要部を示す断面図である。光透過性を有する透過領域を有する遊技盤１４は、全域で、別々に形成した主面１４１と裏面１４２を、中空領域１４０を挟んで固着する。図８（ａ）では、裏面１４２側に設けられた遊技釘１３の柱状部材１４５を主面１４１側対向面に当接させ、遊技釘１３の植設により固定するものである。なお、柱状部材１４５と主面１４１側対向面の当接領域ＡＤ１は、遊技釘１３の植設前に接着されていてもよい。他方、図８（ｂ）では、主面１４１側に設けられた遊技釘１３の柱状部材１４５を裏面１４２側対向面に当接させ、遊技釘１３の植設により固定するものである。なお、柱状部材１４５と裏面１４２側対向面の当接領域ＡＤ２は、遊技釘１３の植設前に接着されていてもよい。
【００６８】
このような図８（ａ）、（ｂ）の構成においては、主面１４１側に遊技釘植設の穴以外の貫通穴（図６（ａ）のＨ１など）は設けられない態様となる。これにより、中空領域１４０を挟んで主面１４１と裏面１４２を固着する遊技盤１４の組み立て、位置決めに自由度が得られる。又、主面１４１側に関しては貫通穴（図６（ａ）のＨ１など）などがない図５の実施形態と同様のタイプであるため、図６、図７に示した各実施形態に比べて遊技釘１３の植設周辺でも背後の液晶表示装置３２からの画像がより見易いという利点も有る。
【００６９】
図９又は図１０は、それぞれ本実施形態における光透過性を有する透過領域を有する遊技盤の周縁部分の要所を示す断面図である。図９又は図１０は、別々に形成した主面１４１と裏面１４２を、中空領域１４０を挟んで固着する形態を有する遊技盤１４の周縁部分であり、これらの構成例について説明する。
【００７０】
図９において、遊技盤１４の周縁部分１４７は、遊技盤１４の主面１４１の厚みＴ１または裏面１４２の厚みＴ２よりも大きい厚みＴ４を有する。そして、当該周縁部は切り欠き部Ｓ１を有して主面１４１と裏面１４２の遊技盤部材が位置合わせされる。遊技盤１４の周縁部分１４７は、柱状部材１４５（図６乃至図８それぞれ参照）と整合が取れるように高さＨＴ１を選ぶ必要がある。このような構成によれば、切り欠き部Ｓ１を有する分、主面１４１と裏面１４２の位置合わせ精度は高められる。又、位置合わせの後、破線に示すように、ボルト／ナットなどの固定用部材Ｆ１を用いて固定強化してもよい。
【００７１】
図１０において、遊技盤１４の周縁部分１４７は、遊技盤１４の主面１４１の厚みＴ１または裏面１４２の厚みＴ２よりも大きい厚みＴ４を有する。そして、当該周縁部分１４７の上面において主面１４１と裏面１４２の遊技盤部材が位置合わせされる。遊技盤１４の周縁部分１４７は、柱状部材１４５（図６乃至図８それぞれ参照）と整合が取れるように高さＨＴ２を選ぶ必要がある。このような構成によれば、図９に比べて、主面１４１と裏面１４２の位置合わせは、ある程度、誤差（ばらつき）を許容することができる。又、位置合わせの後、破線で示すように、ボルト／ナットなどの固定用部材Ｆ１を用いて固定強化してもよい。
【００７２】
上記図９、図１０で示すような、遊技盤１４の周縁部分１４７は、主面１４１と裏面１４２のうち、柱状部材１４５の形状を設けた方に作られるか、柱状部材１４５の形状を設けない方に作られるかは、製造、生産ライン、組立工程上、取り扱い上都合がよい方を考慮して決めればよい。
【００７３】
図６乃至図１０に示した各実施形態においても、中空領域１４０の領域内に遊技釘１３を支持する柱状部材１４５を備えることにより、材料コスト削減、軽量化の効果に加えて、遊技釘１３の支持力が強化される。すなわち、中空領域１４０の所々に遊技釘１３を囲む内壁部を付加することが可能であり、中空領域１４０及び透過領域を有する遊技盤１４の強度向上にも寄与する。又、透明部材を充満させた従来の遊技盤は、大型化に伴い、遊技盤が歪むなどの、そりが顕著になる傾向があったが、本実施形態によれば、遊技盤１４の軽量化と、複数の柱状部材１４５により遊技盤の表裏を支持する構造とによって、遊技盤が大型化しても、そりの抑制が期待できる。
【００７４】
上記図６乃至図１０に示すような、主面１４１と裏面１４２を別々に形成し、中空領域１４０を挟んで固着する形態の遊技盤１４は、例えば、射出圧縮成形法や射出プレス成形法を用いて、主面１４１側の部材と裏面１４２側の部材を別々に形成し得る。特に、遊技釘１３の柱状部材１４５などを有する複雑な側の部材は、複雑な金型加工を容易にするため、成形品の構造上、分割した金型を使用する、入れ子や中子のような金属ブロックを金型中に組み込むといった、所定の構造を組んだ金型を用いて形成する。入れ子や中子のような金属ブロックを変更することで、遊技釘１３の柱状部材１４５を設ける箇所を変更可能である。
【００７５】
図１１は、図５とは別の形態の、中空領域を有する遊技盤について要部を示す断面図である。光透過性を有する透過領域を有する遊技盤１４は、全域で、別々に形成した主面１４１と裏面１４２を、中空領域１４０を挟んで固着する。本実施形態では、遊技釘１３の柱状部材１４６を別途準備し、柱状部材１４６に予め遊技釘１３を植設した遊技釘ユニット１３５を形成する。遊技盤１４の主面１４１と裏面１４２は遊技釘ユニット１３５を植設する箇所に貫通穴Ｈ７、Ｈ８を設ける。貫通穴Ｈ７、Ｈ８は、金型成形により形成してもよいし、成形後にドリルやプレスなど機械的に形成してもよい。遊技釘ユニット１３５は、貫通穴Ｈ７、Ｈ８に嵌め込まれる。これにより、遊技盤１４の主面１４１と裏面１４２は、柱状部材１４６を介して固着される。これにより、光透過性を有する透過領域を有する遊技盤１４は、全域で、別々に形成した主面１４１と裏面１４２を、中空領域１４０を挟んで固着することができる。このように、柱状部材１４６は、遊技盤における中空領域に設けられた主面と裏面とを繋ぐ遊技釘の支持部材の一例である。
【００７６】
このような実施形態においても、上記図９、図１０で示すような遊技盤１４の周縁部分１４７を設けてもよい。又、遊技釘ユニット１３５を構成せずに、先に柱状部材１４６を嵌め込み、後に遊技釘１３を植設して形成してもよい。又、柱状部材１４６の位置決め用のフリンジ１４８及び貫通穴Ｈ７の大径部Ｈ７１は、省略することも可能である。これにより、遊技盤１４の主面１４１と裏面１４２の加工がより一層容易になる。成形金型も図５乃至図８を実現するような金型に比べて複雑なものとはならず、より一層の製造コスト削減に寄与する。又、透明部材を充満させた従来の遊技盤は、大型化に伴い、遊技盤が歪むなどの、そりが顕著になる傾向があったが、本実施形態によれば、遊技盤１４の軽量化と、複数の柱状部材１４６により遊技盤の表裏を支持する構造とによって、遊技盤が大型化しても、そりの抑制が期待できる。
【００７７】
図１２は、図５とは別の形態の、中空領域を有する遊技盤について要部を示す断面図である。光透過性を有する透過領域を有する遊技盤１４ａは、全域で、別々に形成した主面１４１ａと裏面１４２ａを、中空領域１４０ａを挟んで固着する。図１２では、柱状部材１４５ａは、主面１４１ａに一体的な成形を伴って設けられている。このため、形状や高さが一様で、主面１４１ａ側と同様の組成からなる光透過性を有する、透過領域を有する柱状部材１４５ａが実現可能である。なお、上記作用、効果は、上述の図６（ｂ），図７（ｂ）、図８（ｂ）においても同様である。また、上記構成に代えて、柱状部材１４５ａを、裏面１４２ａに一体的な成形を伴って設けた場合においても、同様の作用効果が得られ、その場合、上述の図６（ａ），図７（ａ）、図８（ａ）が相当し、同様の作用、効果が得られる。
【００７８】
さらに、図１２では、裏面１４２ａ側を平面板とし、裏面１４２ａ（平面板）は、柱状部材１４５ａを設けた主面１４１ａの裏から蓋をするように固着されている。遊技釘１３は、その一部が柱状部材１４５ａに設けられた釘穴Ｈ１３に嵌め込まれ、固着されている。
【００７９】
このような構成においては、一方の裏面１４２ａ側を平面板としたことにより、成形部材の一方は非常に単純な構造となる。成形部材の構造が単純となるため、安価で加工が早く、組み立ての基準とすることができ、精度も出易い。これにより、遊技盤は、主面１４１ａ側と裏面１４２ａ側についてそれぞれ別々に形成する際の低コスト化、及び組み立ての簡易化を図り得る。
【００８０】
なお、上記構成では、裏面１４２ａ側を平面板としたが、変形例として、裏面１４２ａ側に代えて主面１４１ａ側の方を平面板としてもよい。例えば、前記図６（ａ）において、主面１４１側の貫通穴Ｈ１をなくした平面板と、柱状部材１４５を有する裏面１４２側との組み合わせが上記変形例に相当する。この場合、主面１４１から裏面１４２の釘穴Ｈ３に向かって穴開けされ、遊技釘１３が嵌め込まれるようにすればよい。このような構成においても、遊技盤を、主面側と裏面側についてそれぞれ別々に形成する際の低コスト化、及び組み立ての簡易化を図り得る。
【００８１】
図１３（ａ）、（ｂ）は、図１２の要部の構成例であり、（ａ）は、遊技釘１３近傍の遊技盤１４ａの要部、（ｂ）は、遊技盤１４ａの周縁部分の要所を示す断面図である。これらの図を用いて、遊技盤１４ａの特徴について説明する。
【００８２】
図１３（ａ）において、柱状部材１４５ａは、これまでの実施形態と同様に、遊技盤１４ａの主面１４１ａと裏面１４２ａを繋ぐ遊技釘の支持部材であり、より好ましくは遊技釘１３を囲み、固定するための円筒形状の内壁となっている。さらに好ましくは、この円筒形状の内壁厚Ｔ７が遊技釘１３の径よりも大きく、遊技盤１４の主面１４１の厚みＴ５または裏面１４２の厚みＴ６よりも小さい。このような柱状部材１４５は、遊技釘１３が植設される以前では、遊技釘１３より小さな径の穴、例えば、貫通した釘穴Ｈ１３に準ずる穴が開いている形態である。柱状部材１４５ａが円筒形状であれば、強度的にも強く、外観的に反射も少なく抑えることができる。
【００８３】
さらに、柱状部材１４５ａ（支持部材）の高さによって決まる中空領域１４０ａ、すなわち主面１４１ａと裏面１４２ａとの間の中空領域１４０ａの離間距離Ｄ１は、遊技球の直径よりも大きく、遊技球が移動できる十分な距離を有している。例えば、離間距離Ｄ１は、遊技球の直径（１１ｍｍ程度）よりも１．５倍以上大きくとられ、中空領域１４０ａに遊技球の通路が形成可能である。
【００８４】
図１３（ｂ）において、遊技盤１４ａの周縁部分１４７ａは、遊技盤１４ａの主面１４１ａの厚みＴ５または裏面１４２ａの厚みＴ６よりも大きい厚みＴ８を有する。そして、当該周縁部分１４７ａの上面において主面１４１ａと裏面１４２ａの遊技盤部材が位置合わせされる。遊技盤１４ａの周縁部分１４７ａは、柱状部材１４５ａと整合が取れるように高さＨＴａを選ぶ必要がある。又、位置合わせの後、破線に示すように、ねじ締めなど固定用部材Ｆ２を用いて固定強化してもよい。また、中空領域１４０ａに遊技球が通ることから、所定箇所に遊技球の導出経路１４９が設けられる。
【００８５】
図１４は、遊技盤１４ａと、遊技球を入球させる入賞口との関連を示す断面図である。入賞口部材１５１は、遊技盤１４ａの主面１４１ａに設けられ、遊技球は、入賞口１５２を介して中空領域１４０ａに導かれるようになっている。中空領域１４０ａ内には、遊技球が所定の経路を通るように透明の通路を設けてもよい。遊技球の入賞を検知する入賞口センサ１６１は、例えば、入賞口部材１５１の背後における中空領域１４０ａ内に設けられている。入賞口センサ１６１は近接センサなどで構成され、遊技球の通過を検知すると、入賞の信号は図示せぬ主制御回路（主基板）に送られる。これにより、主制御回路は、払出しのコマンドを図示せぬ払出装置に送信し、払出装置を作動させて遊技球の払い出しを行う。
【００８６】
図１５は、遊技盤１４ａと、遊技球を遊技領域外に移動させる移動口との関連を示す断面図である。移動口部材１５５は、遊技盤１４ａの主面１４１ａに設けられ、遊技球は、移動口１５６を介して中空領域１４０ａに導かれるようになっている。例えば、透明の通路１７１は、中空領域１４０ａ内で遊技球を所定の箇所に移動させるために設けられている。
【００８７】
図１６は、遊技盤１４ａと、遊技球を遊技領域内に戻す再入口との関連を示す断面図である。遊技球を遊技盤１４ａの主面１４１ａ側に戻す再入口部材１８１は、遊技盤１４ａの主面１４１ａに設けられ、遊技球は、中空領域１４０ａ内の通路１８２を通り、再入口１８３を介して主面１４１ａ側に導かれるようになっている。例えば、遊技盤１４ａの主面１４１ａ側の遊技球は、上記図１５の移動口１５６から中空領域１４０ａ内に入り、所定の通路１７１、１８２などを通って再入口１８３から再び主面１４１ａ側に導かれる。このように、中空領域１４０ａ内の所定の通路１７１、１８２などは、中空領域に設けられた遊技球の通路の一例である。これにより、遊技球が移動可能な中空領域１４０ａを有する遊技盤１４ａは、遊技球のワープ移動など、様々な転動態様が可能となり、遊技者の興趣をいっそう高める構成となり得る。
【００８８】
図１７乃至図２０は、それぞれ遊技球が移動可能な中空領域を有する遊技盤を用いた応用例を示す断面図である。図１７は、遊技盤の主面と裏面の両面を遊技領域とする構成の要部を示す断面図であり、図１８は、図１７の変形例を示す断面図である。図１９は、遊技盤の裏面側の遊技領域（裏遊技領域）における入賞口付近を示す断面図であり、図２０は、遊技盤の主面から中空領域を介して視認可能な入賞口部材を示す平面図である。
【００８９】
図１７において、遊技盤１４ｂは、主面１４１ｂと裏面１４２ｂの両面を遊技領域とすべく、遊技釘を裏面１４２ｂ側にも植設している。遊技盤１４ｂの裏面１４２ｂ側は、主面１４１ｂ側と同様の柱状部材を所定箇所に設け、裏遊技釘１３ｂを植設している。裏遊技領域側の保護板３１１は、液晶表示装置３２方面に遊技球が飛ばないよう、裏面１４２ｂ側の遊技領域（裏遊技領域１５ｂ）を確立するために設けている。このように、裏遊技領域側の保護板３１１は、遊技盤の裏面と画像表示手段との間に設けられた光透過性を有する透過領域を有する保護板の一例であり、裏遊技釘１３ｂは、支持部材により支持され遊技盤の裏面側から突出する裏遊技釘の一例である。これにより、遊技盤１４ｂは、主面１４１ｂと裏面１４２ｂが組み合わされ、遊技領域１５と裏遊技領域１５ｂとを有する形態となる。
【００９０】
なお、領域移行口部材１９１は、遊技盤１４ｂの主面１４１ｂに設けられ、遊技球は、遊技領域１５から、領域移行経路１９２を介し中空領域１４０ａを越えて裏遊技領域１５ｂに導かれるようになっている。また、領域移行口部材１９５は、遊技盤１４ｂの裏面１４２ｂに設けられ、遊技球は、裏遊技領域１５ｂから、領域移行経路１９６を介し中空領域１４０ａを越えて遊技領域１５に導かれるようになっている。遊技盤１４ｂは、このような構成に限らず、もちろん、前記図１４の構成と同様の遊技球を入球させる入賞口の構成が設けられる。さらには、図１５及び図１６に示した構成（遊技球のワープ手段）を設けてもよい。このように、領域移行経路１９２、１９６、通路１７１、１８２などは、中空領域に設けられた遊技球の通路の一例である。
【００９１】
図１８は、図１７の変形例であり、遊技釘として、遊技領域１５及び裏遊技領域１５ｂに共通に用いられるコンビネーション遊技釘１３ｃを用いている点が主な変更点である。また、遊技盤は、前記図１２で示した構成の遊技盤と同様の主面及び裏面の組み合わせ構成となっているので、遊技盤の符号を、主面１４１ａ、裏面１４２ａ、その間の中空領域１４０ａを有する遊技盤１４ａとした。その他の構成は、図１７と同様である。図１７に比べて柱状部材１４５ａの配設の簡素化、遊技釘本数の削減が望める。コンビネーション遊技釘１３ｃは、遊技盤１４ａの主面１４１ａ側の遊技領域１５では遊技釘１３、裏面１４２ｂ側の裏遊技領域１５ｂでは裏遊技釘１３ｂとなる。このように、コンビネーション遊技釘１３ｃは、支持部材により支持され遊技盤の裏面側から突出する裏遊技釘の一例である。このような構成に限らず、もちろん、前記図１４の構成と同様の遊技球を入球させる入賞口の構成が設けられる。さらには、図１５及び図１６に示した構成（遊技球のワープ手段）を設けてもよい。
【００９２】
なお、上記実施形態において、コンビネーション遊技釘１３ｃばかり設けるのではなく、これまでの説明に用いた遊技釘１３も混在させてもよい。また、領域移行口部材１９５ｔは透明としたが、図１７の領域移行口部材１９５のように、透明部材でなくてもよい。このように、中空領域１４０ａ（又は１４０ｂ）に設ける各種部材は、遊技盤１４ａ（又は１４ｂ）の主面１４１ａ（又は１４１ｂ）から中空領域１４０ａ（又は１４０ｂ）を介して積極的に視認させたいとき、目立たなくしたいとき、いずれかに合わせて部材を選択すればよい。
【００９３】
図１９は、遊技盤１４ａ（又は１４ｂ）の裏面１４２ａ（又は１４２ｂ）側の遊技領域、すなわち裏遊技領域１５ｂにおける入賞口付近を示す断面図である。入賞口部材２５１ａ、２５１ｂは、遊技盤１４ａ（又は１４ｂ）の裏面１４２ａ（又は１４２ｂ）に設けられ、遊技球は、入賞口２５２を介して中空領域１４０ａ（又は１４０ｂ）に導かれるようになっている。例えば、入賞口センサ２６１は、入賞口部材２５１ａの背後における中空領域１４０ａ（又は１４０ｂ）内に入賞口部材２５１ｂと共に設けられている。中空領域１４０ａ（又は１４０ｂ）内には、遊技球が所定の経路を通るように透明の通路を設けてもよい。
【００９４】
図２０は、図１９の入賞口部材２５１ａの一例を示す平面図である。入賞口部材２５１ａは、遊技盤１４ａ（又は１４ｂ）の主面１４１ａ（又は１４１ｂ）から中空領域１４０ａ（又は１４０ｂ）を介して視認可能となっている。裏遊技領域１５ｂにおいて転動していた遊技球は、入賞すると、鉢巻をした男性のキャラクタ（通称“ドンちゃん”）２９１の手から、中空領域１４０ａ（又は１４０ｂ）内に導かれる態様となっている。入賞した場合、キャラクタ２９１の周囲の電飾部材２９２が光るなどの演出を行ってもよい。これらの演出は、遊技盤１４ａ（又は１４ｂ）の主面１４１ａ（又は１４１ｂ）から中空領域１４０ａ（又は１４０ｂ）を介して視認可能となっている。このように、入賞口部材２５１ａは、中空領域を介して視認可能な遊技球の入賞口部材の一例である。
【００９５】
図１２乃至図２０に示す実施形態の構成によれば、遊技盤１４ａ（又は１４ｂ）の裏面１４２ａ（又は１４２ｂ）においても遊技可能とするために、保護板３１１、裏遊技釘１３ｂ、入賞口部材２５１、中空領域１４０ａ（又は１４０ｂ）における遊技球の通路を備える。中空領域１４０ａ（又は１４０ｂ）は、遊技球を移動可能とし、遊技盤の主面側と裏面側との間の遊技球の移動や、裏面側の入賞口に遊技球が入賞した際の遊技球の移動に利用するため、各種の通路が設けられる。これにより、中空領域及び透過領域を有する遊技盤（例えば、透明状のアクリル系樹脂などからなる遊技盤）の特性を活かした新たな遊技形態を提供し得、裏側の遊技領域（裏遊技領域）をも提供可能である。そして、これに加えて、画像表示手段（例えば、液晶表示装置など）の演出画像は、裏面−中空領域−主面、あるいは、保護板−裏面−中空領域−主面を介して遊技盤上の遊技領域に透過可能であるので、透明部材を充満させた従来の遊技盤と同等の視認性が得られることにより、遊技者においてはパチンコ遊技自体の面白みを堪能しつつ、演出画像を観ることが可能である。このため、透過領域を有して背後の画像表示領域を透過する遊技盤に関して材料コスト削減及び軽量化を図り、さらには、軽量化した際の遊技盤の特性を活かした興趣をもたらす遊技機を提供し得る。
【００９６】
以上のような実施形態によれば、光透過性を有する透過領域を有する遊技盤１４（例えば、透明状のアクリル系樹脂などからなる遊技盤）が主面１４１と裏面１４２との間に中空領域１４０を有することで、遊技盤１４内部が空間の分だけ、従来の遊技盤に比べて材料コストも少なく、かつ重量が抑えられ、ひいては遊技機のコスト軽減、軽量化に寄与する。また、柱状部材１４５は、軽量化しつつも、遊技釘１３の支持部材として、主面と裏面とを繋ぎ、中空領域１４０及び透過領域を有する遊技盤１４（例えば、透明状のアクリル系樹脂などからなる遊技盤）の強度向上にも寄与する。柱状部材１４５は、中空領域１４０の所々に遊技釘１３を囲む内壁部を付加することも可能である。そして、この柱状部材１４５は、遊技盤における主面と裏面とを繋ぐ支持部材になるため、主面と裏面との間の中空領域における離間距離を必然的に決める要素となり得る。従って、遊技盤の精度や強度を考える上で重要な部材である。又、液晶表示装置３２の表示領域３２ａなど、演出表示手段の演出画像は、中空領域１４０を介しても遊技盤上の遊技領域に透過可能であるので、透明部材を充満させた従来の遊技盤と同等の視認性が得られる。これにより、遊技者においてはパチンコ遊技自体の面白みを堪能し、かつ、演出画像を観ることが可能であるという効果を維持しつつ、透過領域を有して背後の画像表示領域を透過する遊技盤に関する材料コスト削減及び軽量化を図り、さらには、軽量化した際の遊技盤の特性を活かした興趣をもたらす遊技機を提供し得る。なお、上記遊技盤１４に代えて、遊技盤１４ａ又は１４ｂの場合にも上記と同様な作用、効果を奏する。
【００９７】
さらに、このような実施形態によれば、遊技釘１３を支持する柱状部材１４５は、遊技盤１４の主面１４１側又は裏面１４２側に一体的な成形を経て構成される。このため、形状や高さが一様で、主面１４１側又は裏面１４２側と同様の組成からなる光透過性を有する、透過領域を有する支持部材が実現可能である。そして、画像表示手段（例えば、液晶表示装置３２など）の演出画像は、中空領域１４０を介して遊技盤１４上の遊技領域１５に透過可能であるので、透明部材を充満させた従来の遊技盤と同等の視認性が得られることにより、遊技者においてはパチンコ遊技自体の面白みを堪能しつつ、演出画像を観ることが可能であるという従来どおりの効果を奏し得る。このため、透過領域を有して背後の画像表示領域を透過する遊技盤に関して材料コスト削減及び軽量化を図り、さらには、軽量化した際の遊技盤の特性を活かした興趣をもたらす遊技機を提供し得る。なお、上記遊技盤１４に代えて、遊技盤１４ａ又は１４ｂの場合にも上記と同様な作用、効果を奏する。
【００９８】
さらに、このような実施形態によれば、遊技盤１４の主面１４１、裏面１４２のいずれか一方側は、平面板にするなど、なるべく単純な構造とする。単純な構造の平面板であれば、成形部材の構造が単純となるため、加工が早く、組み立ての基準とすることができ、精度も出易い。よって、遊技盤１４は、主面１４１側と裏面１４２側についてそれぞれ別々に形成する際の低コスト化、及び組み立ての簡易化を図り得る。そして、これに加えて、画像表示手段（例えば、液晶表示装置３２など）の演出画像は、中空領域１４０を介しても遊技盤上の遊技領域に透過可能であるので、透明部材を充満させた従来の遊技盤と同等の視認性が得られることにより、遊技者においてはパチンコ遊技自体の面白みを堪能しつつ、演出画像を観ることが可能であるため、透過領域を有して背後の画像表示領域を透過する遊技盤に関して材料コスト削減及び軽量化を図り、より発展的には、軽量化した際の遊技盤の特性を活かした興趣をもたらす遊技機を提供し得る。なお、上記遊技盤１４に代えて、遊技盤１４ａ又は１４ｂの場合にも上記と同様な作用、効果を奏する。
【００９９】
さらに、このような実施形態によれば、遊技盤１４ａは、中空領域１４０ａの離間距離を遊技球の直径より大きくしたことにより、中空領域１４０ａ内において遊技球を移動させることが可能となる。これにより、遊技盤１４ａは、遊技球の、遊技領域から中空領域への移動、中空領域から遊技領域への移動など、遊技者に新たな遊技形態を提供し得る。これにより、中空領域１４０ａ及び透過領域を有する遊技盤（例えば、透明状のアクリル系樹脂などからなる遊技盤）の特性を活かした裏側の遊技領域（裏遊技領域）を提供可能である。そして、これに加えて、画像表示手段（例えば、液晶表示装置３２など）の演出画像は、中空領域１４０ａを介しても遊技盤上の遊技領域に透過可能であるので、透明部材を充満させた従来の遊技盤と同等の視認性が得られることにより、遊技者においてはパチンコ遊技自体の面白みを堪能しつつ、演出画像を観ることが可能であるため、透過領域を有して背後の画像表示領域を透過する遊技盤に関して材料コスト削減及び軽量化を図り、より発展的には、軽量化した際の遊技盤の特性を活かした興趣をもたらす遊技機を提供し得る。なお、上記遊技盤１４ａに代えて、遊技盤１４ｂの場合にも上記と同様な作用、効果を奏する。
【０１００】
さらに、このような実施形態によれば、保護板３１１、裏遊技釘１３ｂ（又はコンビネーション遊技釘１３ｃ）、入賞口部材２５１ａ、２５１ｂ、中空領域１４０ｂにおける遊技球の通路（１７１，１８２その他）を備えることにより、遊技盤１４ｂの裏面においても遊技可能となり、遊技者に新たな遊技形態を提供し得る。中空領域１４０ｂは、遊技盤の主面側と裏面側との間の遊技球の移動や、裏面側の入賞口に遊技球が入賞した際の遊技球の移動に利用するため、各種の通路を設けることが可能である。これにより、中空領域及び透過領域を有する遊技盤（例えば、透明状のアクリル系樹脂などからなる遊技盤）の特性を活かした裏側の遊技領域（裏遊技領域）を提供可能である。そして、これに加えて、画像表示手段（例えば、液晶表示装置など）の演出画像は、保護板３１１−裏面１４２ｂ−中空領域１４０ｂ−主面１４１ｂを介して遊技盤上の遊技領域に透過可能であるので、透明部材を充満させた従来の遊技盤と同等の視認性が得られることにより、遊技者においてはパチンコ遊技自体の面白みを堪能しつつ、演出画像を観ることが可能であるため、透過領域を有して背後の画像表示領域を透過する遊技盤に関して材料コストの削減及び軽量化を図り、もってコスト軽減かつ軽量化が可能な遊技機を提供し得る。なお、上記遊技盤１４ｂに代えて、遊技盤１４ａの場合にも上記と同様な作用、効果を奏する。
【０１０１】
以上のような実施形態においては、デジパチと称されるパチンコ遊技機を例に挙げたが、これに限らず、羽根モノ、ヒコーキモノと称されるパチンコ遊技機、権利モノと称されるパチンコ遊技機、その他別の態様を有するパチンコ遊技機に適用してもよい。
【０１０２】
以上、本発明の実施例を説明したが、具体例を例示したに過ぎず、特に本発明を限定するものではない。すなわち、本発明は、主に、主面と裏面との間に中空領域を有し、該主面における遊技球が転動する遊技領域に複数の遊技釘が設けられた、光透過性を有する透過領域を有する遊技盤と、前記遊技盤の背後に設けられ、演出画像を表示する画像表示手段と、前記遊技盤における前記中空領域に設けられた前記主面と前記裏面とを繋ぐ前記遊技釘の支持部材とを備えることを特徴とする遊技機であって、遊技盤、遊技釘、支持部材、画像表示手段などの具体的構成は、適宜設計変更可能である。
【０１０３】
なお、本発明の実施例に記載された効果は、本発明から生じる最も好適な効果を列挙したに過ぎず、本発明による効果は、本発明の実施例に記載されたものに限定されるものではない。
【図面の簡単な説明】
【０１０４】
【図１】本発明の一実施形態のパチンコ遊技機における概観を示す斜視図である。
【図２】本発明の一実施形態のパチンコ遊技機における概観を示す分解斜視図である。
【図３】本発明の一実施形態のパチンコ遊技機において構成される電飾ユニットを示す正面図である。
【図４】本発明の一実施形態のパチンコ遊技機における概観を示す正面図である。
【図５】本発明の一実施形態のパチンコ遊技機における中空領域を有する遊技盤の要部を示す断面外観図である。
【図６】本発明の一実施形態のパチンコ遊技機において、（ａ）、（ｂ）は、図５とは別の形態の、中空領域を有する遊技盤について要部を示す断面図である。
【図７】本発明の一実施形態のパチンコ遊技機において、（ａ）、（ｂ）は、それぞれ図６（ａ）、（ｂ）の変形例について要部を示す断面図である。
【図８】本発明の一実施形態のパチンコ遊技機において、（ａ）、（ｂ）は、それぞれ、図５とは別の形態の、中空領域を有する遊技盤について要部を示す断面図である。
【図９】本発明の一実施形態のパチンコ遊技機における、光透過性を有する透過領域を有する遊技盤の周縁部分の要所を示す断面図である。
【図１０】本発明の一実施形態のパチンコ遊技機における、光透過性を有する透過領域を有する遊技盤の周縁部分の要所を示す断面図である。
【図１１】本発明の一実施形態のパチンコ遊技機における、図５とは別の形態の、中空領域を有する遊技盤について要部を示す断面図である。
【図１２】本発明の一実施形態のパチンコ遊技機において、図５とは別の形態の、中空領域を有する遊技盤について要部を示す断面図である。
【図１３】（ａ）、（ｂ）は、それぞれ図１２の要部の構成例を示す断面図である。
【図１４】遊技盤と、遊技球を入球させる入賞口との関連を示す断面図である。
【図１５】遊技盤と、遊技球を遊技領域外に移動させる移動口との関連を示す断面図である。
【図１６】遊技盤と、遊技球を遊技領域内に戻す再入口との関連を示す断面図である。
【図１７】遊技盤の主面と裏面の両面を遊技領域とする構成の要部を示す断面図である。
【図１８】図１７の変形例を示す断面図である。
【図１９】遊技盤の裏面側の遊技領域（裏遊技領域）における入賞口付近を示す断面図である。
【図２０】遊技盤の主面から中空領域を介して視認可能な入賞口部材を示す平面図である。
【符号の説明】
【０１０５】
１０    パチンコ遊技機
１１    扉
１２    本体枠
１３    遊技釘
１３ｂ    裏遊技釘
１３ｃ    コンビネーション遊技釘
１４、１４ａ、１４ｂ    遊技盤
１５    遊技領域
１５ｂ    裏遊技領域
１６    遊技領域外域
１９    保護板
２０    上皿
２２    下皿
２３    羽根部材
２４、４４    入賞口
２５    始動口
２６    発射ハンドル
３０    ガイドレール
３１    スペーサー
３２    液晶表示装置
３３    特別図柄表示器
３４ａ、３４ｂ、３４ｃ、３４ｄ    特別図柄保留ランプ
３５    普通図柄表示器
３７    表示器ケース
３９    大入賞口
４０    シャッタ
４１    セグメントＬＥＤ
４６Ｌ、４６Ｒ    スピーカ
４７    第１ワープ経路
４９    第２ワープ経路
５０ａ、５０ｂ、５０ｃ、５０ｄ    普通図柄保留ランプ
５１    ラウンド数表示器
５３    電飾ユニット
５４ａ、５４ｂ    通過ゲート
５７    障害物
５６ａ、５６ｂ、５６ｃ、５６ｄ    一般入賞口
５９    アウト口
１３５    遊技釘ユニット
１４０、１４０ａ、１４０ｂ    中空領域
１４１、１４１ａ、１４０ｂ    主面
１４２、１４２ａ、１４２ｂ    裏面
１４５、１４５ａ、１４６    柱状部材
１４７、１４７ａ    周縁部分
１４８    フリンジ
１４９    遊技球の導出経路
１５１、２５１ａ、２５１ｂ    入賞口部材
１５２、２５２    入賞口
１５５    移動口部材
１５６    移動口
１６１、２６１    入賞口センサ
１７１、１８２    遊技球の通路
１８１    再入口部材
１８３    再入口
１９１    領域移行口部材
１９２、１９６    領域移行経路
１９５、１９５ｔ    領域移行口部材
２９１    入賞口部材のキャラクタ
２９２    電飾部材
３１１    裏遊技領域側の保護板
【図１】
2007215603.tif 000003
【図２】
2007215603.tif 000004
【図３】
2007215603.tif 000005
【図４】
2007215603.tif 000006
【図５】
2007215603.tif 000007
【図６】
2007215603.tif 000008
【図７】
2007215603.tif 000009
【図８】
2007215603.tif 000010
【図９】
2007215603.tif 000011
【図１０】
2007215603.tif 000012
【図１１】
2007215603.tif 000013
【図１２】
2007215603.tif 000014
【図１３】
2007215603.tif 000015
【図１４】
2007215603.tif 000016
【図１５】
2007215603.tif 000017
【図１６】
2007215603.tif 000018
【図１７】
2007215603.tif 000019
【図１８】
2007215603.tif 000020
【図１９】
2007215603.tif 000021
【図２０】
2007215603.tif 000022